(57)【特許請求の範囲】
【請求項１】
前部の枠体と後部の枠体と上部の枠体および下部の枠体とよりなり、前記下部の枠体に発電機が搭載された箱型フレームと
前記箱型フレームの後部の枠体に垂直状態と水平状態に回転自在に設けられ、上端にランプが取付けられたマストと、
前記マストが取付けられた箱型フレームの後部の枠体に折畳み自在に設けられたハンドルと、
前記マストおよびハンドルが設けられた箱型フレームの下部の枠体に設けられたタイヤと、
前記マストを垂直状態に保持する垂直ロック機構と、前記垂直ロック機構とは別に前記マストに回転自在に設けられ、垂直ロック機構を解除し前記マストが多少傾斜しても垂直状態に保持する転倒防止板とよりなり、
前記垂直ロック機構を解除すると共に転倒防止板を解除したときのみ前記マストを水平状態に位置させることができるようにしたことを特徴とする投光機のフレーム体。
【請求項２】
前部の枠体と後部の枠体と上部の枠体および下部の枠体とよりなり、前記下部の枠体にのみ発電機が搭載された箱型フレームと
前記箱型フレームの後部の枠体に垂直状態と水平状態に回転自在に設けられ、上端にランプが取付けられたマストと、
前記マストが取付けられた箱型フレームの後部の枠体に折畳み自在に設けられたハンドルと、
前記マストおよびハンドルが設けられた箱型フレームの下部の枠体に設けられたタイヤと、
前記箱型フレームの後部の枠体下側に設けられた支持脚と収納自在にされた転倒防止用のアウトトリガーとよりなり、
前記アウトリガーはアーム形状にされ先端に設置される脚部と、箱型フレームからせり出した二枚の固定板の円弧状の溝をスライド可能且つ回動自在にされた末端とより構成し、
前記脚部を接地した使用状態で末端部前記溝の任意位置で固定できるようにしたことを特徴とする投光機のフレーム体。
【請求項３】
前部の枠体と後部の枠体と上部の枠体および下部の枠体とよりなり、前記下部の枠体にのみ発電機が搭載された箱型フレームと
前記箱型フレームの後部の枠体に垂直状態と水平状態に回転自在に設けられ、上端にランプが取付けられたマストと、
前記マストが取付けられた箱型フレームの後部の枠体に折畳み自在に設けられたハンドルと、
前記マストおよびハンドルが設けられた箱型フレームの下部の枠体に設けられたタイヤとよりなり、
前記ハンドルはＵ字状をなし、開放端それぞれに一定間隔をおいて第１孔および第２孔を穿孔し、前記箱型フレームの後方へせり出したプレートに二等辺三角形の頂点となる位置に第1孔、第２孔および第３孔を穿孔し、コ字状に折り曲げた丸棒の長端部をハンドルの第１孔およびプレートの第1孔を貫通させることにより、前記ハンドルを箱型フレームに収納位置と使用位置に回転自在に設け、コ字状に折り曲げた丸棒の短端部を上下方向に間隔を置いて穿孔した第２孔または第３孔を貫通させることにより、前記ハンドルを第1の使用位置または第２の使用位置に固定することができるようにしたことを特徴とする投光機のフレーム体。
【発明の詳細な説明】
【技術分野】
【０００１】
本発明は土木工事現場あるいはイベント会場など夜間の照明に用いられる投光機を収納または移動することに用いられる小型で軽量の投光機のフレーム体に関する。
【背景技術】
【０００２】
土木工事現場あるいはイベント会場などでは夜間の照明に投光機が利用される。このような投光機は移動ができるように台車に乗せられている。
【０００３】
図２５は特許文献１に記載された従来の投光機を乗せた台車である。台車１にはタイヤ２、２が取り付けられ、移動可能にされている。また台車１には発電機３が搭載されている。台車１の前部には伸縮自在にされたマスト４が設けられ、マスト４にはランプを有する投光機５が設けられている。投光機５は高さおよび角度が変えられるようにされている。さらに台車１には転倒防止用のアウトリガー６が設けられている。
【０００４】
発電機３で発電された電力は投光機５に有するランプに給電され、ランプを点灯する。ランプが点灯することにより、投光機５から発光された光線が土木工事現場あるいはイベント会場などを照明する。投光機５から発光された光線が対象物に正確に照射されるように、投光機の角度および高さが変えられる。さらにタイヤ２、２が取り付けられているため近い範囲では移動され、最適な位置に投光機５からの光線が対象物に照射されるようにしている。
【０００５】
更に、特許文献２から６に示されるように種々の投光機が開示されているが、いずれも４輪を有する台車にランプを載置した移動型の投光機である。
【特許文献１】実公平７−５１９５７号公報
【特許文献２】特許第３１１８７８４号公報
【特許文献３】特開２００１−６０４１２号公報
【特許文献４】特開２００４−９５５１７号公報
【特許文献５】特開２００４−５０９０８号公報
【特許文献６】特開２００５―１６１９０８号公報
【発明の開示】
【発明が解決しようとする課題】
【０００６】
従来の発電機付属の投光機は発電機を搭載する台車が鋼板で形成されていたので重たかった。また、土木工事現場あるいはイベント会場などを照明し終わった後に、トラックなどに乗せ運搬する必要があったが重たく、運搬に不自由を来した。
【０００７】
そこで、発電機を搭載する台車をより軽量化すると共に、輸送時には投光機を取付けたマスト、ハンドルおよび転倒防止用のアウトリガーなどが取付けたままでも邪魔にならないよう収納されるようにして、マストおよび発電機を台車に取付けたまま運搬できるようにする必要がある。
【課題を解決するための手段】
【０００８】
本発明は軽量にして且つ、発電機とマストなどがコンパクトに収容でき、取付けたまま輸送できるようにする投光機のフレーム体を提供するものであり、
発電機が内部に収納される箱型フレームと、前記箱型フレームの後部に垂直状態と水平状態に回転されるように設けられ、上端にランプが取付けられるマストと、前記マストが設けられた箱型フレームの後部に折畳み自在に設けられたハンドルと、前記マストおよびハンドルが設けられたとは反対側の箱型フレームの前部下側に設けられたタイヤと、前記箱型フレームの後部下側に支持脚と、収納自在にされた転倒防止用のアウトリガーとを設けたことを特徴とする投光機のフレーム体を提供する。
【０００９】
また、本発明は前記マストを少なくとも第１マストと、該第１マスト内にスライドして伸縮自在にできるようにした第２マストとよりなり、前記第２マストはジュラルミンで形成した投光機のフレーム体を提供する。
【００１０】
更に、本発明は前記マストを垂直状態に保持する垂直ロック機構と、前記マストに回動自在に設けられ前記垂直ロック機構を解除しても先端が箱型フレーム上に設置している凸片間の枠体に当接し前記マストを垂直状態に仮保持する転倒防止板を設けた投光機のフレーム体を提供する。
【００１１】
更に本発明は前記マストを垂直状態に保持する垂直ロック機構と、前記マストを水平状態に保持する水平ロック機構を設けた投光機のフレーム体を提供する。
【００１２】
本発明は前記マストを垂直状態に保持する垂直ロック機構と、前記垂直ロック機構と該垂直ロック機構を解除する解除機構とをマストに設け、前記マストを支えながら解除機構にて前記垂直ロック機構を解除する投光機のフレーム体を提供する。
【００１３】
更に、本発明は前記アウトリガーがアーム形状にされ先端に接地される脚部と、前記箱型フレームからせり出した二枚の固定板の円弧状の溝をスライド可能にすると共に、回動自在にされた末端とよりなり、使用状態で末端を前記溝の任意位置で固定できるようにした投光機のフレーム体を提供する。
【００１４】
更に、本発明は前記ハンドルがＵ字状をなし、開放端それぞれに一定間隔をおいて第１孔および第２孔を穿孔し、前記箱型フレームの後方へせり出したプレートに二等辺三角形の頂点となる位置に第１孔、第２孔および第３孔を穿孔し、コ字状に折り曲げた丸棒の長端部をハンドルの第１孔およびプレートの第１孔を貫通させることにより、前記ハンドルを箱型フレームに収納位置と使用位置に回動自在に設け、コ字状に折り曲げた丸棒の短端部をプレートの上下方向に間隔をおいて穿孔した第２孔または第３孔を貫通させることにより、前記ハンドルを第１の使用位置または第２の使用位置に固定することが出来るようにした投光機のフレーム体を提供する。
【００１５】
更に、本発明は前記箱型フレームの下面中央の縦方向に間隔を置いて車輪を設け、前記車輪をレールに載置し、前記箱型フレームがレール上を移動可能にした投光機のフレーム体を提供する。
【００１６】
更に、本発明は前記箱体フレームに大型の発電機を搭載する載置台と小型の発電機を搭載する載置片が設けられている投光機のフレーム体を提供する。
【発明の効果】
【００１７】
本発明の投光機のフレーム体は箱形フレームで形成されているので、大幅に小型、軽量化が実現され、以下に述べる種々の効果が生まれた。
【００１８】
本発明の投光機のフレーム体は箱型フレームにし、発電機が内部に収納され、しかも投光機を取付たマストとハンドルおよびアウトリガーは折畳めコンパクトにされるようにした。従って、発電機およびランプなどを取付けたまま箱型フレームごと運搬できるので、運搬が便利となる。
【００１９】
本発明の投光機のフレーム体は箱型フレームにしたので、発電機が内部に収納され輸送中などで揺らいだり転倒しても、上部の枠体で保護され発電機が直接地面などに当たることがないので、発電機の損傷を少なく出来る。また、遠距離を輸送するため箱型フレームに発電機およびランプを搭載したままトラックに積み込むときに、箱型フレームの上部の枠体を持って荷台まで持上げることができ、積込が容易となる。
【００２０】
本発明の投光機のフレーム体は箱型フレームの前部のみに２つのタイヤを設けたので従来の移動型に比べて大幅に軽量化される。しかもハンドルがマストを取付けた箱形フレームの後部に設けられるので、ハンドルとタイヤの中間にマストが位置して重量バランスが良くなり、マストを垂直状態にしたランプの使用中でもハンドルを持上げるだけで安定して投光機を移動させることができる。
【００２１】
また、投光機を収納して運搬するためマストを水平状態に折畳んだとき、マストは箱形フレームの上部に折畳まれ、重いランプは箱型フレームの前部に位置して重心が前方に移動される。そのためハンドルを持上げることにより箱形フレームの後方が容易に持上り、支持脚を浮上されることができるので、前部にあるタイヤのみで投光機を移動できる。
【００２２】
本発明の投光機のフレーム体はマストを第１マストと、第１マスト内にスライドして伸縮自在にできるようにした第２マストとで構成し、第２マストをジュラルミンで形成したので、マストが軽量化されて、投光機全体の軽量化も図れる。
【００２３】
本発明の投光機のフレーム体は回動自在に設けられマストを垂直状態に保持する垂直ロック機構を解除してもマストを垂直状態に仮保持する転倒防止板を設けた。従って収納時にマストを折畳むために垂直ロック機構を迂闊に解除したとき、ランプ部が重いためにマストは転倒する恐れがあるが、転倒防止板で仮保持されるので、不用意にマストが転倒し作業員が怪我をしたり、ランプ部を破損することを防止できる。
【００２４】
本発明の投光機のフレーム体は先端が箱型フレームに当接と同時にマストを水平状態に保持する水平ロック機構を設けたので、運搬時にマストを固定することができる。
【００２５】
本発明の投光機のフレーム体はマストを垂直状態に保持する垂直ロック機構と、垂直ロック機構を解除する解除機構をマストに設けたので、マストを支えながら垂直ロック機構を解除するので、垂直ロック機構を解除したときに不用意にマストが投光機の重さで転倒することが防止できる。
【００２６】
本発明の投光機のフレーム体はアウトリガーがアーム形状にされ末端部を二枚の固定板の円弧状の溝をスライド可能にすると共に、使用状態で溝の任意位置で固定できるようにした。そのためアウトリガーの傾斜角度を使用する場所によって調整できるので、先端部に有する脚部を確実に接地でき、投光機が転倒するのを防止できる。
【００２７】
本発明の投光機のフレーム体はハンドルがＵ字状の開放端それぞれに一定間隔をおいて第１孔および第２孔を穿孔し、コ字状に折り曲げた丸棒の短端部を上下方向に間隔をおいて穿孔したプレートの第２孔または第３孔を貫通させることにより、ハンドルを水平となる第１の使用位置またはやや斜め上方となる第２の使用位置のいずれにも固定するようにしたので、ハンドルを使用し易い位置に固定できるので、運搬時や移動時の取り扱いが容易となる。
【００２８】
本発明の投光機のフレーム体は箱型フレームの下面中央の縦方向に間隔を置いて車輪を設けることが可能なので、鉄道で使用するときには車輪をレールに載置することにより、箱型フレームは容易にレール上を移動させることができる。
【００２９】
本発明の投光機のフレームは箱体フレームに大型の発電機を搭載する載置台と小型の発電機を搭載する載置片とが設けられたので、大型発電機および小型発電機のいずれも使用できる。
【発明を実施するための最良の形態】
【００３０】
図１〜図２４は本発明の投光機のフレーム体に関するもので、図１は本発明の投光機のフレーム体の斜視図、図２は本発明の投光機のフレーム体に用いたマストの一部分拡大図、
図３は図２と同様に本発明の投光機のフレーム体に用いたマストの一部分拡大図、図４は本発明の投光機のフレーム体に用いたマストの取付け部分と転倒防止板の一部分拡大図、
図５は同じくは本発明の投光機のフレーム体に用いたマストの取付け部分と転倒防止板の一部分拡大図、図６は本発明の投光機のフレーム体に用いたマストの取付け部分と転倒防止板の一部分拡大図、図７は本発明の投光機のフレーム体に用いたマストの取付け部分と転倒防止板の一部分拡大図、図８は本発明の投光機のフレーム体に用いたマストの垂直ロック機構部分の拡大図、図９は本発明の投光機のフレーム体に用いた垂直ロック機構の斜視図、図１０は本発明の投光機のフレーム体に用いた垂直ロック機構の平面図、図１１は同じく本発明の投光機のフレーム体に用いた垂直及び水平ロック機構の平面図、図１２は本発明の投光機のフレーム体に用いたマストの垂直ロック機構の他の実施例を示す斜視図、図１３は本発明の投光機のフレーム体に用いたアウトリガーの斜視図、図１４は本発明の投光機のフレーム体に用いたアウトリガーの取付け部分の拡大斜視図、図１５は本発明の投光機のフレーム体に用いたアウトリガーの取付け部分の拡大斜視図、図１６は本発明の投光機のフレーム体に用いたハンドルの取付け部分の拡大斜視図、図１７は本発明の投光機のフレーム体に用いたハンドルの取付け部分の拡大斜視図、図１８は本発明の投光機のフレーム体に用いたハンドルの取付け部分の拡大斜視図、図１９は本発明の投光機のフレーム体に用いたハンドルの取付け部分の拡大斜視図、図２０は本発明の投光機のフレーム体の使用方法を示す斜視図、図２１は本発明の投光機のフレーム体の輸送状態を示す斜視図、図２２は本発明の投光機のフレーム体の移動状態を示す斜視図、図２３は本発明の投光機のフレーム体に用いた車輪の取付け部分の側面図、図２４は本発明の投光機のフレーム体に用いた車輪の取付け部分の底面図である。
【００３１】
図１に示すように、本発明の投光機のフレーム体は金属製よりなるパイプにて箱型フレーム１１を形成している。箱型フレーム１１は前部の枠体１１１、後部の枠体１１２、上部の枠体１１３および下部の枠体１１４にて構成されている。下部の枠体１１４には後述する大型の発電機を搭載する載置台１８、１８と、載置台１８、１８の内側に位置されるように小型の発電機を搭載する載置片１９、１９および載置片２０が設けられている。
【００３２】
後部の枠体１１２の上側には後述するランプが取付けられるマスト１２が垂直状態と水平状態とに回動自在に設けられ、使用時には垂直状態にされ、輸送時には上部の枠体１１３に折畳まれる。また後部の枠体１１２にはハンドル１３が折畳み自在に設けられている。マスト１２およびハンドル１３が取付けられた後部の枠体１１２側の下部の枠体１１４に支持脚１６、１６と、収納自在にされた転倒防止用のアウトリガー１７、１７とが設けられている。支持脚１６、１６およびアウトリガー１７、１７が取付けられた下部の枠体１１４の反対側のみに２つのタイヤ１４、１４が設けられている。
【００３３】
図２に示すように、マスト１２は第１マスト１２１と第１マスト１２１内にスライドして伸縮自在にできるようにし、上端に投光機が取付けられる第２マスト１２２とよりなる。第２マスト１２２は強度と軽量化を考慮してジュラルミンで形成している。実施例ではマスト１２は第１マスト１２１と第２マスト１２２で形成したが、第１マスト１２１内にスライドして伸縮自在にできるようにした第２マスト１２２と第３マストとの三つの部分で構成してもよい。
【００３４】
第２マスト１２２は第１マスト１２１の上段に設けた縦割り部のネジ式締め付け機構１２３により、第１マスト１２１の下限または下限から上限位置まで任意の位置で伸縮固定できるようにしている。
【００３５】
図３に示すように、第２マスト１２２の上限位置ではネジ締め付け機構１２３の締付け不足による落下防止のため、第２マスト１２２の下端よりやや高めの位置に通し孔１２５を開け、その通し孔１２５に抜止め１２７を有するピン１２６を差し込むようにしている。
【００３６】
第１マスト１２１のネジ締め付け機構１２３の内部には、ある間隔をあけて上下２箇所に樹脂製メタルを設け、第２マスト１２２の滑らかな伸縮と摩擦による傷防止効果を持たせている。
【００３７】
図４〜図７に示すように、マスト１２はヒンジ機構で箱型フレーム１１の後部の枠体１１２の上側に垂直位置と水平位置間を回動できるようにしている。即ち後部の枠体１１２には外側に突出され孔を有する凸片２２、２２を持つ枠体が形成されている。また第１マスト１２１には先端部に凸片２２、２２に対応する孔が開けられたＵ字状の取付金具１２７が固着されている。凸片２２、２２の孔および取付金具１２７の孔を軸２３が貫くことにより、第１マスト１２１は後部の枠体１１２に垂直位置と水平位置間を回動できるよう取付られている。
【００３８】
図８はマスト１２を使用する垂直位置にした状態をロックする垂直ロック機構２５を示したものである。垂直ロック機構２５は後部の枠体１１２の下方から外側に延びる保持片２６に取付けられている。
【００３９】
図９〜図１１に示す垂直及び水平ロック機構２５は市販されているもので、保持片２６に基体２９が取付られている。その基体２９の軸２８１に回動自在に設けられロック部２７を有するロック片２８と、軸３０１に回動自在に設けられロック片２８をロック位置に係止する係止片３０よりなる。ロック片２８はスプリングで反時計方向に付勢され、係止片３０はスプリングで時計方向に付勢されている。
【００４０】
第１マスト１２１の垂直ロック機構２５に対向する位置に丸棒で形成した係合部材１２８が突出して取付られている。係合部材１２８をロック片２８のロック部２７に嵌合し、ロック片２８を時計方向に回動させると、ロック片２８は係止片３０に係止され回動位置にロックされ、マスト１２を垂直状態に保持する。
【００４１】
図１１の点線で示すように係止片３０を反時計方向に回動させると、ロック片２８は係止片３０の嵌合状態から開放され、ロック片２８はスプリングの付勢力で反時計方向に回動され、係合部材１２８をロック部２７から開放し、第１マスト１２１を開放する。第１マスト１２１がロック状態か解除されたときに、マスト１２がランプの重みで急激に倒れ、作業者が怪我をする恐れがある。
【００４２】
そこで、図４および図５に示すように取付金具１２７の近くに転倒防止板３１を設けている。転倒防止板３１は第１マスト１２１に設けた蝶番部材３２により回動自在にされている。マスト１２が垂直位置では転倒防止板３１は軸２３に当たり傾斜して先端が後部のフレーム枠１１２上に設置している凸片２２間の枠体２２１に当たるようにして、垂直ロックが解除されると転倒防止板３１は凸片２２間の枠体２２１上を滑って、やや上に反り上がったエッジ部２２２に当たりマスト１２を垂直状態に仮保持して転倒を防止している。
【００４３】
図６および図７に示すように、転倒防止板３１に設けたレバー３１１を反時計方向に回動させることにより、転倒防止板３１は後部のフレーム１１２に係止していたのが解除される。
【００４４】
図１２はマスト１２を使用する垂直位置にした状態をロックする垂直ロック機構２５の他の実施例を示したものである。図８とは逆に垂直ロック機構２５を取付板２６１を介して第１マスト１２１に取付ける。そして垂直ロック機構２５のロック部２７に後部の枠体１１２に水平に設けられた係合部材１２９に係合される。さらに第１マスト１２１には垂直ロック機構２５のロックを解除する解除機構１３０が取付られている。
【００４５】
解除機構１３０は第１マスト１２１に取付られた基板１３１と基板１３１の軸１３２に回動自在に取付けられたＬ字状のレバー１３３とよりなる。レバー１３３はスプリング１３４にて反時計方向に付勢されており、握手１３５と反対の先端部１３６と垂直ロック機構２５の係止片３０とはワイヤー１３７で連結されている。
【００４６】
図１３〜図１５に示すように、アウトリガー１７はアーム形状にされ先端の脚部１７１が接地される。アウトリガー１７の脚部１７１と反対側の末端は箱型フレーム１１の後部の枠体１１２から側方にせり出した扇状の二枚の固定板３４、３５に挟まれている。そして末端にはボルト３７が取付られている。ボルト３７は固定板３４、３５に形成した円弧状の溝３６に貫通され、アウトリガー１７を折畳み位置と使用位置を回動されるようにしている。それと共にボルト３７が溝３６をスライドできるようにし、任意の位置ボルト３７を締め付けることによりアウトリガー１７の末端が固定でき、アウトリガー１７の傾斜角度が変えられるようにしている。
【００４７】
図１および図１６〜図１９にハンドル１３の取付機構を示している。後部の枠体１１２にはプレート３８、３８が後方へせり出すように設けられている。プレート３８、３８には二等辺三角形の頂点となる位置に孔３９、４０、４１が穿孔されている。
【００４８】
ハンドル１３はパイプでＵ字状に形成されており、Ｕ字状の開放端それぞれに一定間隔をおいて孔４２、４３が穿孔されている。長さが異なる長短端部４６、４７を有するコの字状に折り曲げた丸棒４５の長端部４６をハンドル１３の孔４５を挿入後、プレート３８の三角形の頂点に穿孔された孔３９を貫通させ、ハンドル１３を回動自在に取付ける。丸棒４５の短端部４７はプレート３８の上下方向に間隔をおいて穿孔された孔４０または孔４１に選択的に挿入される。丸棒４５のプレート３８の孔３９より突出される長端部４６にはスプリング４８を入れ、先端にネジを切ってナット５０を螺合し、スプリング４８の抜け止めとしている。
【００４９】
図２０は本発明の投光機のフレーム体の使用状態を示す斜視図である。使用状態では箱型フレーム１１はタイヤ１４、１４と支持脚１６、１６で水平に保持されている。箱型フレーム１１の下部の枠体１１４には発電機５１が搭載されている。発電機５１が大型の場合には載置台１８、１８に搭載する。発電機５１が小型の場合には載置台１８、１８の内側にあるに載置片１９、１９に搭載する（図１）。発電機５１を箱型フレーム１１に搭載した後ロープ５２で固定する。
【００５０】
図４に示すように、マスト１２を使用するため、後部の枠体１１２から突出される凸片２２、２２および第１マスト１２１に固着された取付金具１２７のそれぞれに有する孔を貫く軸２３を中心として、第１マスト１２１を回動して垂直状態にする。
【００５１】
図１０に示すように、マスト１２が垂直状態近くにしたとき、第１マスト１２１に取付けた係合部材１２８がロック片２８のロック部２７に嵌合し、ロック片２８をスプリングの付勢力に抗してピン２８１を中心として時計方向に回動させる。
【００５２】
図１１に示すように、ロック位置まで回動されると、ロック片２８は係止片３０に係止され回動位置にロックされ、マスト１２を垂直状態に保持する。
【００５３】
図４および図５に示すようにマスト１２が垂直位置にされたとき、転倒防止板３１が自重で降下し後部の枠体１１２上に設置している凸片２２間の枠体２２１に当たり、垂直ロックが解除されると転倒防止板３１は凸片２２間の枠体２２１上を滑って、やや上に反り上がったエッジ部２２２に当たるので、マスト１２が転倒防止板３１で支えられ、ロック片２８をロック部から解除しても仮保持し投光機５５の重量で転倒するのを防止している。
【００５４】
図１２の垂直ロック機構２５を用いた時もほぼ同様で、マスト１２が垂直状態近くにしたとき、第１マスト１２１に取付けた垂直ロック部材２５のロック片２８のロック部２７に係合部材１２９が嵌合し、ロック片２８をスプリングの付勢力に抗してピン２８１を中心として時計方向に回動させる。ロック位置まで回動されると、ロック片２８は係止片３０に係止され回動位置にロックされ、マスト１２を垂直状態に保持する。
【００５５】
第２マスト１２２の上端部には取付金具５４にてランプ５５が取付けられている。ランプ５５は取付金具５４にて上下方向に変えられるようにされている。
ランプ５５には発電機５１で発電された電力が安定器５７で制御された後コード５８を介して給電される。ランプ５５にはプロジェクタータイプとバルーンタイプとがあり、プロジェクタータイプとバルーンタイプのいずれでも使用できるようにするため、共通な５ピンのソケットを介して電気的に接続している。
【００５６】
図２に示すように、マスト１２を垂直状態にしたとき、第１マスト１２１の上段に設けた縦割り部のネジ式締め付け機構１２３のネジを緩める。第２マスト１２２は第１マスト１２１内にスライド自在され収納されているので、ネジ式締め付け機構１２を緩めることにより第２マスト１２２は第１マスト１２１から取出されるのでマスト１２は伸張される。第１マスト１２１の下端または、下限から上限位置まで任意の位置でネジ式締め付け機構１２３のネジを締め付けることにより伸縮固定でき、ランプ５５を任意高さに設定できる。
【００５７】
図３に示すように、マスト１２を最大限に伸張した第２マスト１２２の上限位置では第２マスト１２２の下端よりやや高めの位置に通し孔１２５にピン１２６を差し込むことにより、締め付け機構１２３の締付けが不十分であっても、第２マスト１２２が投光機５５の重量で第１マスト１２１内を滑り落ちることが無いようにしている。
【００５８】
図２０に示すように、タイヤ１４、１４と支持脚１６、１６でもってランプ５５を使用状態にしている。しかし風その他の原因で投光機が箱型フレーム１１ごと転倒する恐れがある。万が一組立中などに転倒しても、発電機５１は箱体フレーム１１の上部の枠体１１３で保護されているので、損傷を少なく済ませることが出来る。
【００５９】
図２０に示すように、風その他の原因で投光機が箱型フレーム１１ごと転倒することがないように、不使用状態では後部の枠体１１２に折畳まれているアウトリガー１７、１７を側方に倒す。
【００６０】
図１４に示すように、ボルト３７を緩め、ボルト３７を中心としてアウトリガー１７の先端の脚部１７１を接地方向に回動させ、アウトリガー１７の先端に有する脚部１７１が地面に接地される。アウトリガー１７を接地方向に十分回動させても、投光機５５を使用する場所によっては脚部１７１が地面に接地されないか、逆に浮き上がってしまうことがある。
【００６１】
図１３および図１４に示すように、アウトリガー１７の脚部１７１と反対の末端は箱型フレーム１１の後方の枠体１１２からせり出した扇状の二枚の固定板３４、３５に挟まれ、ボルト３７が円弧状の溝３６をスライドできるようにしている。従ってボルト３７を移動させることによりアウトリガー１７の末端の高さ位置が変えられ、アウトリガー１７の傾斜角度が変えられる。従って任意の位置で締め付けることにより、脚部１７１がしっかり地面に接地した位置にアウトリガー１７を固定できる。
【００６２】
図２１に示すように、ハンドル１３は運送時には箱型フレーム１１の後部の枠体１１２に畳まれている。
【００６３】
図１７に示すように、ハンドル１３が畳まれた状態では丸棒４５の短端部４７は孔４０または孔４１のいずれにも嵌合されておらずフリーにされているので、長端部４６を中心としてハンドル１３を時計方向に回動させる。
【００６４】
図１９に示すように、ハンドル１３を時計方向に回動させると、丸棒４５の短端部４７が孔４０または孔４１に嵌合する。
【００６５】
図２２に示すように、短端部４７を上側の孔４０に嵌合したときには、ハンドル１３は点線で示す水平位置に固定され、輸送時に運搬に便利にしている。また短端部４７を下側の孔４１に嵌合したときには、ハンドル１３は上側の点線で示すように斜め上方位置に固定され、使用時に多少動かすのに容易にしている。
【００６６】
図２０に示した使用状態では前述したように、発電機５１で発電された電力は安定器５７で制御された後はランプ５５に給電され、ランプ５５から投光された光線は対象物を照射する。光線の方向はランプ５５の角度およびマスト１２の高さを変えることにより、対象物に正確に照射させることが出来る。さらにハンドル１３を手で持って動かすことにより、使用中のまま箱型フレーム１１ごとランプ５５を移動することが出来る。ランプ５５を一度消灯した後点灯したときに、定常状態にするまで時間を要するが、点灯したまま移動できるので多少離れている場所でも迅速に対象物に十分に照射することが出来る。
【００６７】
図２３および図２４に示すように、投光機を鉄道のレールの保守に使用するときには、箱型フレーム１１の下部の枠体１１４の中央縦方向に間隔を置いてに取付金具６０を取付る。その取付金具６０に車輪６１、６１を設け、車輪６１、６１をレール６２に載置する。箱体フレーム１１は車輪６１、６１がレール６２上を移動することにより移動できる。
【００６８】
投光機を別の場所に運搬する方法を説明する。
【００６９】
図２に示す第１マスト１２１の上段に設けた縦割り部のネジ式締め付け機構１２３のネジを緩め且つ、第２マスト１２２の通し孔１２５に挿入されたピン１２６を抜く。ネジ式締め付け機構１２を緩めることにより第２マスト１２２は第１マスト１２１の内部にスライドし収納され、マスト１２は収縮される。
【００７０】
図１１に示すように、垂直ロック機構２５の軸３０１を中心として係止片３０を点線の位置まで回動させると、それまで係止片３０に係止しされていたロック片２８はスプリングの付勢力で反時計方向に回動して、それまでロック片２８のロック部２７にロックされていた係合部材１２８を解除する。垂直ロック機構２５はマスト１２とは別に設けられているので、不注意でマスト１２が手で支えられていないときがある。そのため係合部材１２８をロック片２８から解除したときに、マスト１２は投光機の重みで転倒する恐れがある。
【００７１】
しかし図４に示すように、係合部材１２８をロック片２８から解除しても、転倒防止板３１が後部の枠体１１２上に設置している凸片２２間の枠体２２１に当たって仮保持されているので、不用意にマスト１２が投光機５５の重量で転倒するのを防止している。
【００７２】
図６に示すように、レバー３１１を反時計方向に回動して、転倒防止板３１の先端を後部の枠体１１２上に設置している凸片２２間の枠体２２１のエッジ部２２’から外す。係る状態で軸２３を中心にマスト１２を手でもって回動して箱体フレーム１１方向に倒す。
【００７３】
図１２に示す垂直ロック機構２５はロック解除機構１３０がマスト１２に取付られている。ロックを解除するときに手でロック解除機構１３０の握手１３４と共に第１マスト１２１を支える。従って握手１３４をスプリング１３４の付勢力に抗して時計方向の回動させることにより、先端部１３５に連結されているワイヤ１３６は上方に引っ張られる。ワイヤ１３６が上方に引っ張られることにより、軸３０１を中心として係止片３０が反時計方向に回動される。それにより係止片３０に係止しされていたロック片２８はスプリングの付勢力で反時計方向に回動して、それまでロック片２８のロック部２７にロックされていた係合部材１２８を解除する。係合部材１２８をロック片２８から解除したときに、マスト１２は手で支えられているので投光機の重みで転倒することはない。
図２１に示すように、マスト１２は後部の枠体１１２から突出される凸片２２、２２および第１マスト１２１に固着された取付金具１２６の孔を貫く軸２３を中心として回動して、マスト１２が上部の枠体１１３に伏せられ載置状態にする。倒された状態ではマスト１２の先端は前部の枠体１１１上に載置され、ランプ５５は箱体フレーム１１の前部の枠体１１１の前方に位置される。
【００７４】
図１０に示すと同様な垂直ロック機構２５が箱体フレーム１１の前部の枠体１１１に水平ロック機構７０として取付られている。従ってマスト１２の先端が前部の枠体１１１上に載置されると、第１マスト１２１の上端部近傍の丸棒で形成した係合部材（図示せず）がロック片のロック部に嵌合し、ロック片をスプリングの付勢力に抗してピンを中心として時計方向に回動させる。ロック片がロック位置まで回動されると、ロック片は係止片に係止され回動位置にロックされ、マスト１２を水平状態に確実に保持できる。
【００７５】
さらに図１５に示すように、ボルト３７を緩めアウトリガー１７を垂直方向に回動し、箱体フレーム１１に畳む。
【００７６】
然る後図１９に示すように、ナット５０を押圧し丸棒４５をスプリング４８に抗して押し込むと、短端部４７は孔４０から脱出される。長端部４６を中心にハンドル１３の持手１３１を上方向に回動させると、短端部４７は孔４１に嵌合される。
【００７７】
図２２の上側の点線で示すように、短端部４７が孔４１に嵌合されると、ハンドル１３は斜め方向に持上げられるので、ハンドル１３の持手１３１が高い位置になり持ち易くなる。ハンドル１３をもって箱型フレーム１１の後部の枠体１１２を持ち上げる。このとき重量があるランプ５５は前部の枠体１１１に載置されているので、重心が前方にあるため後部の枠体１１２は容易に持上げられ、支持脚１６、１６を地面から浮上させる。
【００７８】
従ってハンドル１３を引っ張り、投光機を運送用のトラック車の位置まで運ぶ。再びナット５０を押圧し丸棒４５をスプリング４８に抗して押し込み、短端部４０７を孔４１から脱出させ、ハンドル１３の持手１３１を下方に回動させる。
【００７９】
図１６、図２１に示すように長端部４６を中心にハンドル１３の持手１３１を下方向に回動させると、ハンドル１３は箱型フレーム１１の後部の枠体１１２に沿って折畳まれるので、全体がコンパクトにされる。従って上部の枠体１１３を持って箱体フレーム１１を持上げ、ライトバンやトラックに積み込む。
【図面の簡単な説明】
【００８０】
【図１】本発明の投光機のフレーム体の斜視図である。
【図２】本発明の投光機のフレーム体に用いたマストの一部分拡大図である。
【図３】本発明の投光機のフレーム体に用いたマストの一部分拡大図である。
【図４】本発明の投光機のフレーム体に用いたマストの取付け部分と転倒防止板の一部分拡大図である。
【図５】本発明の投光機のフレーム体に用いたマストの取付け部分と転倒防止板の一部分拡大図である。
【図６】本発明の投光機のフレーム体に用いたマストの取付け部分と転倒防止板の一部分拡大図である。
【図７】本発明の投光機のフレーム体に用いたマストの取付け部分と転倒防止板の一部分拡大図である。
【図８】本発明の投光機のフレーム体に用いたマストの垂直ロック機構の部分の拡大図である。
【図９】本発明の投光機のフレーム体に用いた垂直ロック機構の斜視図である。
【図１０】本発明の投光機のフレーム体に用いた垂直ロック機構の平面図である。
【図１１】本発明の投光機のフレーム体に用いた垂直ロック機構の平面図である。
【図１２】本発明の投光機のフレーム体に用いたマストの垂直ロック機構の部分の斜視図である。
【図１３】本発明の投光機のフレーム体に用いたアウトリガーの斜視図である。
【図１４】本発明の投光機のフレーム体に用いたアウトリガーの取付け部分の拡大斜視図である。
【図１５】本発明の投光機のフレーム体に用いたアウトリガーの取付け部分の拡大斜視図である。
【図１６】本発明の投光機のフレーム体に用いたハンドルの取付け部分の拡大斜視図である。
【図１７】本発明の投光機のフレーム体に用いたハンドルの取付け部分の拡大斜視図である。
【図１８】本発明の投光機のフレーム体に用いたハンドルの取付け部分の拡大斜視図である。
【図１９】本発明の投光機のフレーム体に用いたハンドルの取付け部分の拡大斜視図である。
【図２０】本発明の投光機のフレーム体の使用方法を示す斜視図である。
【図２１】本発明の投光機のフレーム体の輸送状態を示す斜視図である。
【図２２】本発明の投光機のフレーム体の移動状態を示す斜視図である。
【図２３】本発明の投光機のフレーム体に用いた車輪の取付け部分の側面図である。
【図２４】本発明の投光機のフレーム体に用いた車輪の取付け部分の底面図である。
【図２５】従来の投光機のフレーム体の使用方法を示す斜視図である。
【符号の説明】
【００８１】
１１      箱型フレーム
１２      マスト
１３      ハンドル
１４      タイヤ
１６      支持脚
１７      アウトリガー
１８      載置台
１９      載置片
２５      垂直ロック機構
３１      転倒防止板
５５      ランプ
６１      車輪
１２１    第１マスト
１２２    第２マスト
【図１】
0004668762.tif 000002
【図２】
0004668762.tif 000003
【図３】
0004668762.tif 000004
【図４】
0004668762.tif 000005
【図５】
0004668762.tif 000006
【図６】
0004668762.tif 000007
【図７】
0004668762.tif 000008
【図８】
0004668762.tif 000009
【図９】
0004668762.tif 000010
【図１０】
0004668762.tif 000011
【図１１】
0004668762.tif 000012
【図１２】
0004668762.tif 000013
【図１３】
0004668762.tif 000014
【図１４】
0004668762.tif 000015
【図１５】
0004668762.tif 000016
【図１６】
0004668762.tif 000017
【図１７】
0004668762.tif 000018
【図１８】
0004668762.tif 000019
【図１９】
0004668762.tif 000020
【図２０】
0004668762.tif 000021
【図２１】
0004668762.tif 000022
【図２２】
0004668762.tif 000023
【図２３】
0004668762.tif 000024
【図２４】
0004668762.tif 000025
【図２５】
0004668762.tif 000026